(57)【要約】  マルチディスプレイシステム（例えば複数の表示パネルを含んだディスプレイ）は、観察者に対して三次元（３Ｄ）特徴を表示するために実質的に互いに平行に配置された、少なくとも第１及び第２ディスプレイ（例えば表示パネル又は表示レイヤ）を含む。パネル振動（例えば横振動）及び／又は選択的バックライト制御が用いられて、観察者に対して画像品質を改善するためにモアレ干渉を低減する。【選択図】図１
2018535450.tif 000002
【特許請求の範囲】
【請求項１】
第１画像を表示するための、第１平面内にある第１表示パネルと、
第２画像を表示するための、第２平面内にある第２表示パネルであって、前記第１及び第２平面は互いにほぼ平行である、第２表示パネルと、
モアレ干渉を低減させるために、前記第１及び第２表示パネルの一方を振動させるためのバイブレータであって、前記第１及び第２表示パネルの他方は振動させない、バイブレータと、
を備えるディスプレイ装置。
【請求項２】
前記バイブレータは、モータによって駆動されるように構成された偏心カムを備える、請求項１に記載のディスプレイ装置。
【請求項３】
前記バイブレータは、前記第１及び第２表示パネルの前記一方を、前記一方のパネルが配置されている平面内の一方向に少なくとも振動させるためのものである、いずれかの先行する請求項に記載のディスプレイ装置。
【請求項４】
前記第１及び第２表示パネルの前記他方は振動させられるようには構成されていない、いずれかの先行する請求項に記載のディスプレイ装置。
【請求項５】
第１、第２、及び第３の異なる色の光源を含むバックライトを更に備え、
前記第１、第２、及び第３の異なる色の光源は、前記第１及び第２表示パネルの前記一方の位置に基づいて選択的に制御されるように各々構成される、
いずれかの先行する請求項に記載のディスプレイ装置。
【請求項６】
前記バックライトの赤色光源は、赤色サブピクセルが所与の位置にある時及び前記赤色サブピクセルが前記所与の位置の一方側へ１サブピクセル及び／又は２サブピクセル移動した時に点灯するように構成され、前記赤色サブピクセルが前記所与の位置の他方側へ移動した時に消灯するように構成される、いずれかの先行する請求項に記載のディスプレイ装置。
【請求項７】
前記バックライトの青色光源は、青色サブピクセルが所与の位置にある時及び前記青色サブピクセルが前記所与の位置の一方側へ１サブピクセル及び／又は２サブピクセル移動した時に点灯するように構成され、前記青色サブピクセルが前記所与の位置の他方側へ移動した時に消灯するように構成される、いずれかの先行する請求項に記載のディスプレイ装置。
【請求項８】
前記バックライトの赤色、緑色、及び青色光源は全て、前記青色サブピクセルが前記所与の位置にある時に点灯するように構成される、請求項６−７のいずれかに記載のディスプレイ装置。
【請求項９】
前記第１及び第２表示パネルは液晶ディスプレイを備える、いずれかの先行する請求項に記載のディスプレイ装置。
【請求項１０】
前記第１及び第２表示パネルはＯＬＥＤを備える、いずれかの先行する請求項に記載のディスプレイ装置。
【請求項１１】
前記第１及び第２表示パネルの前記一方は背面ディスプレイである、いずれかの先行する請求項に記載のディスプレイ装置。
【請求項１２】
前記第１及び第２表示パネルの前記一方は前面ディスプレイである、いずれかの先行する請求項に記載のディスプレイ装置。
【請求項１３】
前記バイブレータは、前記第１及び第２表示パネルの前記一方を、当該一方の表示パネルにパーリンノイズを導入するような態様で振動させるように構成される、いずれかの先行する請求項に記載のディスプレイ装置。
【請求項１４】
ディスプレイ装置を介して画像を表示するための方法であって、
第１画像を表示する第１ディスプレイを第１平面に提供するステップと、
第２画像を表示する第２ディスプレイを第２平面に提供するステップであって、前記第１及び第２平面は互いにほぼ平行である、ステップと、
モアレ干渉を低減させるために前記第１ディスプレイを振動させるステップと、
を含む方法。
【請求項１５】
前記第１ディスプレイの位置に少なくとも基づいて、前記ディスプレイ装置のバックライトの第１、第２、及び第３の異なる色の光源を選択的に制御するステップを更に含む、請求項１４に記載の方法。
【請求項１６】
前記第１ディスプレイの赤色サブピクセルが所与の位置にある時、及び前記赤色サブピクセルが前記所与の位置の一方側へ１サブピクセル及び／又は２サブピクセル移動した時に、前記バックライトの赤色光源を点灯させるステップと、前記赤色サブピクセルが前記所与の位置の他方側へ移動した時に、前記赤色光源を消灯させるステップと、を更に含む、請求項１５に記載の方法。
【請求項１７】
前記第１ディスプレイの青色サブピクセルが所与の位置にある時、及び前記青色サブピクセルが前記所与の位置の一方側へ１サブピクセル及び／又は２サブピクセル移動した時に、前記バックライトの青色光源を点灯させるステップと、前記青色サブピクセルが前記所与の位置の他方側へ移動した時に、前記青色光源を消灯させるステップと、を更に含む、請求項１５−１６のいずれかに記載の方法。
【請求項１８】
前記第２ディスプレイは前記第１ディスプレイが振動させられている時には振動されない、請求項１４−１７のいずれかに記載の方法。
【請求項１９】
ディスプレイ装置を介して画像を表示するための方法であって、
第１画像を表示する第１ディスプレイを第１平面に提供するステップと、
第２画像を表示する第２ディスプレイを第２平面に提供するステップであって、前記第１及び第２平面は互いにほぼ平行である、ステップと、
前記ディスプレイの少なくとも一方の位置に少なくとも基づいて、前記ディスプレイ装置のバックライトの異なる色の光源を選択的に制御するステップと、
を含む方法。
【請求項２０】
前記第１ディスプレイの赤色サブピクセルが所与の位置にある時、及び前記赤色サブピクセルが前記所与の位置の一方側へ１サブピクセル及び／又は２サブピクセル移動した時に、前記バックライトの赤色光源を点灯させるステップと、前記赤色サブピクセルが前記所与の位置の他方側へ移動した時に、前記赤色光源を消灯させるステップと、を更に含む、請求項１９に記載の方法。
【請求項２１】
前記第１ディスプレイの青色サブピクセルが所与の位置にある時、及び前記青色サブピクセルが前記所与の位置の一方側へ１サブピクセル及び／又は２サブピクセル移動した時に、前記バックライトの青色光源を点灯させるステップと、前記青色サブピクセルが前記所与の位置の他方側へ移動した時に、前記青色光源を消灯させるステップと、を更に含む、請求項１９−２０のいずれかに記載の方法。
【発明の詳細な説明】
【技術分野】
【０００１】
[001]  この出願は、２０１５年１０月３０日に提出された先行する米国仮特許出願第６２／２４８，９７３（整理番号６４６８−４）に関連するとともにそれに対する優先権を主張し、これによって、当該出願は参照によりそのまま本明細書に組み込まれる。
【０００２】
[002]  この発明は、観察者に対して三次元（３Ｄ）特徴を表示するために少なくとも第１及び第２ディスプレイ（例えば、表示パネル又は表示レイヤ）が実質的に互いに平行に配置された、マルチディスプレイシステム（例えば、複数の表示パネルを含むディスプレイ）に関する。したがって、この発明は、概してディスプレイに関し、より具体的には、三次元特徴を表示するためのディスプレイシステム及び方法に関する。パネル振動（例えば横振動）及び／又は選択的バックライト制御が用いられて、観察者に対して画像品質を改善するためにモアレ干渉を低減する。
【背景技術】
【０００３】
[003]  従来、ディスプレイは情報を二次元に提示する。そのようなディスプレイによって表示された画像は、深度情報を欠いた平面画像である。人々は世界を三次元で観察するので、物体を三次元で表示することができるディスプレイを提供する努力が行われてきた。例えば、ステレオディスプレイは、左目及び右目に対して別々に表示されるオフセット画像を表示することによって、深度情報を伝える。観察者がこれらの平面画像を見る時、それらは脳の中で結合されて、深度の知覚を与える。しかしながら、そのようなシステムは複雑であり、表示された物体のリアルな知覚を提供するためには、増大した解像度とプロセッサの計算パワーを必要とする。
【０００４】
[004]  積層配置された複数の表示画面を含むマルチコンポーネントディスプレイが、リアルな深度を表示するために開発されている。各表示画面は独自の画像を表示して、表示画面の物理的変位による視覚的な深度を提供することができる。例えば、マルチディスプレイシステムは米国特許公開番号２０１５／０３２３８０５及び２０１６／００１２６３０に開示されており、それらの開示の両方が参照により本明細書に組み込まれる。
【０００５】
[005]  マルチディスプレイシステムにおいて第１及び第２のディスプレイ又は表示レイヤが従来方法で互いに積層されると、望まれないモアレ干渉が発生する。モアレ干渉は、観察者の網膜上に投射された時に、レイヤ内の色フィルタ間における相互作用によって引き起こされる。例えば、緑色の色フィルタが重なり合うと、光は透過して相対的に明るい区画を生じさせる。緑色のフィルタが赤色のフィルタの上にあると、あまり多くない光が透過して暗い領域を生じさせるだろう。背面及び前面のディスプレイ又は表示レイヤは網膜上に投射された時に僅かに異なるサイズを有するので、ピクセルは同位相から逆位相へゆっくりと変化するだろう。このことは、別名モアレ干渉として知られる明暗の帯を生み出す効果を有する。
【０００６】
[006]  マルチレイヤディスプレイ（ＭＬＤ）システムにおけるモアレ干渉を除去することに対するいくつかのアプローチが存在している。いくつかのアプローチは、空間フィルタリングによって不要な周波数成分を除去することに依拠する。これは、およそ１．５の屈折率を持つ素子がランダムな表面摂動を有する拡散板型システムか、又は回折型システムを用いて達成されることが可能である。視覚的な美観の点におけるこれらのシステムの性能（例えば、画像がどのくらいぼやけて見えるか、除去できないモアレがどのくらい残されているか、偏光に対する影響、及びコスト等）は、一般にシステムの構成に依存する。あるＭＬＤシステムは、単に最背面の表示レイヤをぼやけさせるための拡散光学系を利用する。このアプローチは、以下の制限に悩まされる：（ａ）拡散素子は特別な拡散パターンを利用し、これは得るのが困難である；（ｂ）拡散素子は偏光子の間に配置され、フィルム基板と補強基板の両方が複屈折なしでなければならない；及び（ｃ）拡散素子は別個の補強部品（通常はガラス）を必要とし、これは最終的なディスプレイシステムに重量と費用を加算する。結果として、モアレ問題に対処するために拡散板だけを使用するＭＬＤシステムは、減少した形状因子を有するので特に、モアレ干渉の低減に対する理想的な解決策を提供しない。
【０００７】
[007]  モアレ干渉に対処するために拡散板にのみ依拠する歴史的な及び現在の方法論は、画像品質に著しい且つ有害な副作用を導入することなくモアレ問題に対して満足のいく解決策を提供しない。
【発明の概要】
【０００８】
[008]  本発明のある例示的な実施態様は、ＭＬＤシステムにおけるモアレ干渉を消失させる又は実質的に消失させる解決策を提供する。この発明のある例示的な実施態様において、ＭＬＤシステムは第１及び第２ディスプレイを含む。パネル振動（例えば横振動）及び／又は選択的バックライト制御が用いられて、観察者に対して画像品質を改善するためにモアレ干渉を低減する。この発明の例示的な実施態様において、拡散板等にのみ依拠しなければならない代わりに、色フィルタをぼやけて見えなくさせる又は実質的にぼやけさせるためにＭＬＤシステムにおける２つの表示パネルのうちの一方だけが振動させられる。そのようなモアレ干渉低減手法（パネル振動及び／又はバックライト制御）は、この発明の様々な実施態様による拡散板及び／又は屈折性素子などの他のモアレ低減手法と組み合わせて用いられてもよいし、用いられなくてもよい。
【０００９】
[009]  この発明のある例示的な実施態様において、第１画像を表示するための、第１平面内にある第１表示パネルと、第２画像を表示するための、第２平面内にある第２表示パネルであって、前記第１及び第２平面は互いにほぼ平行である、第２表示パネルと、モアレ干渉を低減させるために、前記第１及び第２表示パネルの一方を振動させるためのバイブレータであって、前記第１及び第２表示パネルの他方は振動させない、バイブレータと、を備えるディスプレイ装置が提供される。
【００１０】
[0010]  この発明のある例示的な実施態様において、ディスプレイ装置を介して画像を表示するための方法であって、第１画像を表示する第１ディスプレイを第１平面に提供するステップと、第２画像を表示する第２ディスプレイを第２平面に提供するステップであって、前記第１及び第２平面は互いにほぼ平行である、ステップと、モアレ干渉を低減させるために前記第１ディスプレイを振動させるステップと、を含む方法が提供される。
【００１１】
[0011]  この発明のある例示的な実施態様において、ディスプレイ装置を介して画像を表示するための方法であって、第１画像を表示する第１ディスプレイを第１平面に提供するステップと、第２画像を表示する第２ディスプレイを第２平面に提供するステップであって、前記第１及び第２平面は互いにほぼ平行である、ステップと、前記ディスプレイの少なくとも一方の位置に少なくとも基づいて、前記ディスプレイ装置のバックライトの異なる色の光源を選択的に制御するステップと、を含む方法が提供される。
【図面の簡単な説明】
【００１２】
[0012]  これらの及び他の特徴並びに利点は、図面と共に例示的な実施態様の以下の詳細な説明を参照することによって、より一層且つより完全に理解されることができる。
【００１３】
【図１】[0013]  図１は、この発明の例示的な実施態様による、互いに積層された第１及び第２ディスプレイを含むＭＬＤシステムの側断面図である。
【図２】[0014]  図２は、この発明の例示的な実施態様による、互いに積層された第１及び第２ディスプレイを含むＭＬＤシステムを示す模式的な側断面図である。
【図３】[0015]  図３は、振動なしのパネルを左に示し、本明細書におけるいずれかの実施態様のＭＬＤシステムにおいてモアレ干渉を低減するために振動させられているパネルを右に示す上面図である。
【図４】[0016]  図４は、図１−３のいずれか及び／又は全てと組み合わせて用いられることができる、この発明の例示的な実施態様に従ってモアレ干渉を低減するための選択的バックライト制御を示すタイミング図である。
【発明を実施するための形態】
【００１４】
[0017]  この発明は、観察者に対して三次元（３Ｄ）特徴を表示するために少なくとも第１及び第２ディスプレイ（例えば、表示パネル又は表示レイヤ）が実質的に互いに平行に配置された、マルチディスプレイシステム（例えば、複数の表示パネルを含むディスプレイ）に関する。ディスプレイは、様々な実施態様において、フラット又は湾曲形状であってよい。したがって、この発明の実施態様は、概してディスプレイに関し、より具体的には、三次元特徴を表示するためのディスプレイシステム及び方法に関する。この発明の例示的な実施態様によるＭＬＤは、例えば、３Ｄ画像を（例えばスピードメータ、乗物の計器類、乗物のナビゲーションディスプレイ等に）提供するために乗物の計器盤におけるディスプレイとして使用されることができる。
【００１５】
[0018]  色モアレ干渉の問題は、例えば、ＲＧＢピクセルがＲＧＢ列に並んでいる両方のＬＣＤ色フィルタアレイのパターン規則性によって引き起こされる。色モアレ干渉は、水平方向において広く認められる。
【００１６】
[0019]  本発明のある例示的な実施態様は、ＭＬＤシステムにおけるモアレ干渉を消失させる又は実質的に消失させる解決策を提供する。この発明のある例示的な実施態様において、ＭＬＤシステムは、互いに平行又は実質的に平行な異なるそれぞれの平面上に配置されるように積層された関係で提供される、少なくとも第１及び第２ディスプレイを含む。この発明のある例示的な実施態様において、ＭＬＤシステムは、第１及び第２ディスプレイを含む。パネル振動（例えば、パーリンノイズの導入などの横振動）及び／又は選択的バックライト制御が用いられて、観察者に対して画像品質を改善するためにモアレ干渉を低減する。この発明の例示的な実施態様において、拡散板等にのみ依拠しなければならない代わりに、色フィルタをぼやけて見えなくさせる又は実質的にぼやけさせるためにＭＬＤシステムにおける２つの表示パネルのうちの一方だけが振動させられる。他方のパネルは振動させない。そのようなモアレ干渉低減手法（パネル振動及び／又はバックライト制御）は、この発明の様々な実施態様による拡散板及び／又は屈折性素子などの他のモアレ低減手法と組み合わせて用いられてもよいし、用いられなくてもよい。
【００１７】
[0020]  本明細書において論じられる表示パネルの色フィルタは、赤色（Ｒ）、緑色（Ｇ）、及び青色（Ｂ）の色付けされたフィルタ／ピクセルと称されることが留意される。同様に、Ｒ、Ｇ、及びＢのＬＥＤが、本明細書においてバックライトの光源として論じられる。しかしながら、他の色が付加的に又は代わりに用いられてもよいということが留意される。例えば、赤色、緑色、及び／又は青色に加えて又は代わりに、シアン及び／又は白色のフィルタ、ピクセル、並びに光源も可能である。
【００１８】
[0021]  図１−２に示されるＭＬＤシステムは、２つの重なり合う実質的に平行なディスプレイを有する。本明細書におけるＭＬＤのディスプレイ（又は表示レイヤ、表示パネル）は、ＬＣＤ、ＯＬＥＤ等であってよい。ねじれネマティック（ＴＮ）ＬＣＤは、正方形が赤色、緑色、及び青色のサブピクセルを有する水平方向に並んだ３つの部分に分割されるといったような、極めて一般的なピクセルレイアウトに従うのであってよい。サブピクセルは、水平及び垂直方向においてブラックマスクによって分離されることができる。サブピクセルの角には、駆動トランジスタを覆う矩形突出部がしばしば存在する。最新のデスクトップモニタ及びテレビに要求される広い画面視野並びに時間的性能を可能にする、数種類の異なるピクセル技術がある。本発明の実施態様は、バックプレーンが基本的なＲＧＢストライプのピクセルレイアウトに従うように構成されるので、これらのＬＣＤの全てと互換的である。よって、各ピクセルのために要求されるバックプレーンのレイアウトは変更する必要がなく、色フィルタのマスクレイアウトだけである。例えば、製造者によるピクセルの種類は、パナソニック（ＩＰＳ  Ｐｒｏ）、ＬＧディスプレイ（Ｈ−ＩＰＳ及びＰ−ＩＰＳ）、Ｈａｎｎｓｔａｒｔ（Ｓ−ＩＰＳ）、ＡＵ  Ｏｐｔｒｏｎｉｃｓ（Ａ−ＭＶＡ）、サムスン（ＡＦＦＳ）、Ｓ−ＬＣＤ（Ｓ−ＰＶＡ）、及びシャープ（ＡＳＶ及びＭＶＡ）である。ＩＰＳタイプのＬＣＤ又は他のＬＣＤタイプも用いられることができる。ある実施態様において、両方のディスプレイ若しくは表示レイヤがＯＬＥＤであってよく、又は一方のディスプレイがＯＬＥＤであり他方がＬＣＤであってもよい。ＯＬＥＤでは、それぞれのサブピクセル又はピクセルは赤色、緑色、及び青色の材料で充填されるであろう、ということに留意されたい。
【００１９】
[0022]  図１は、この発明の例示的な実施態様によるＭＬＤを示す。ディスプレイ又は表示レイヤ２はＭＬＤのバックライトに最近接しており、バックライトシステムに面するそのバックプレーンが、行ドライバ、列ドライバ、トランジスタ、及び蓄積容量ラインを通ってバックライト内に入っていく光を再利用するようにさせることが望ましいだろう。図に示されるように、２つの偏光子の配置が用いられることができ、空気、又は望まれる場合にはディスプレイの黒状態を維持するように設計された複屈折性を有する材料を含むように、ギャップが構成されることができる。ギャップは、内部反射及び／又は偏光解消効果を低減するために、ガラス又はいずれかの側の層によく整合した屈折率を有する材料を含むことができる。前面ディスプレイ又は表示レイヤ１については、そのバックプレーンは、ディスプレイ又は表示レイヤ２のそれとは反対に配向されることができる。特に、前面ディスプレイ１については、そのバックプレーンは、内部反射を低減するために観察者に面するように配向されることができる。このように、それぞれのディスプレイ１及び２の色フィルタ層（その各々は１又は複数の層から構成されることができる）は互いに向き合い、いずれかのディスプレイからのどの液晶層も第１及び第２ディスプレイの色フィルタ層の間には配置されない、ということが図１において理解されることが可能である。ある例示的な実施態様において、環境光の外部反射を低減するために、４分の１波長位相差板と反射防止偏光子から構成される図１に示されるような反射防止システムが提供されることができ、それにより、通常は反射される環境光は、ＡＲ偏光子を通る１回目の通過において４分の１波長回転を受け、バックプレーン要素によって反射され、４分の１波長位相差板を通って２回目の回転を受けるであろう。光がこの２回目の回転を経験する時までに、光はＡＲ偏光子の透過軸に対して実質的に直交し、したがって実質的に吸収されるだろう。更に、ブラックマスク（ＢＭ）又は他の非反射性材料が、反射を低減させるためにディスプレイの導電性トレースの背後に付加されてもよい。更に、この発明のある例示的な実施態様において、反射防止（ＡＲ）コーティングが内部表面に適用されてもよい。本明細書において説明されるように、モアレ干渉を低減するための振動及び／又は選択的バックライト制御の使用は、拡散板がＭＬＤシステムの２つの表示パネル間のギャップに提供される必要性を回避することができる。
【００２０】
[0023]  図２は、図１のＭＬＤシステム、又は重なり合う第１及び第２表示パネルを有する任意の他の適切な若しくは適用可能なＭＬＤシステムを表す模式図である。図２に示されるように、ＭＬＤシステムは、間にギャップ（例えば、エアギャップ、又は屈折率整合材料で充填されたギャップ）を配して実質的に互いに平行に配置された第１及び第２表示パネルを含む。各表示パネルは、上で論じられたように、ＬＣＤ、ＯＬＥＤ等であってよい。背面パネルの後ろに提供されたバックライトは、有色光をライトガイド内へ向かわせる複数の光源（例えば、赤色、緑色、及び青色のＬＥＤ光源）を含み、当該ライトガイドは、図２に示されるように、その光を２つの表示パネルの方へ向き直させる。図２に示されるバックライトはエッジ搭載型バックライトであるが、それは色ＬＥＤ光源がライトガイドのエッジに沿って提供されているからである。代替的に、有色及び／又は白色光源を備えた面配列タイプのバックライトが代わりに用いられることが可能であろう。
【００２１】
[0024]  可動（例えば回転可能）カムは、動かされる（例えば回転させられる）と、背面表示パネルにパネル振動（例えばパーリンノイズ）を導入し、それによって、背面表示パネルを図２に示されるように方向Ｄにおいて行ったり来たり動かす。背面パネルを方向Ｄにおいて行ったり来たり動くようにさせるために、例えば、偏心カムが回転軸／シャフトＲＡの周りに回転させられることができる。そのような振動を背面パネルに与えるために、カムは、この発明の様々な実施態様において背面パネルに直接的又は間接的に接することができる。ある例示的な実施態様において、ばね（不図示）などによる付勢力がパネルのカムとは反対側に提供され、カムにそれに対抗してパネルを動かす力を効果的に与えることができる。このように、カムはＭＬＤシステムにおける２つの表示パネルの一方だけを振動させる（他方の表示パネルは振動させない）ということが理解されるだろう。偏心回転カムは、回転シャフトＲＡの周りをモータによって駆動され、パネルの一方を振動させるための振動デバイスとして図３に示されているが、他の種類の振動デバイス（例えば、往復カム、往復ラム、ばね付勢部材等）が代わりに又は付加的に用いられてもよい。図３は、振動なしのパネルを左に示し、本明細書におけるいずれかの実施態様のＭＬＤシステムにおいてモアレ干渉を低減するために振動させられているパネルを右に示す上面図である。図２は振動させられている背面表示パネルを示しているが、代わりに前面表示パネルがこの発明の代替的な実施態様において振動させられてもよい。
【００２２】
[0025]  パーリンノイズは、モアレ干渉を低減するために２つの表示パネルの一方に印加されることができる例示的な種類の振動である。パーリンノイズは勾配ノイズの一種であり、擬似ランダムの外観を有する。ある実施態様において、パーリンノイズの全ての視覚的なディテールは同じ大きさであってよい。ある事例において、パーリンノイズの複数の大きさを持つコピーが用いられることが可能である。パーリンノイズは本明細書におけるある実施態様において用いられることができる例示的な種類の振動であるが、この発明はそのようには限定されておらず、他の種類の振動も用いられることができる。
【００２３】
[0026]  図４を参照して、観察者に対して画像品質を改善するためにモアレ干渉を低減するために、選択的バックライト制御がパネル振動とともに用いられることができる。図４は、使用された場合に、付加的なぼやけを生じさせずに黒い背景の上に白いピクセルを維持することを可能にするタイミング図である。１つのピクセルを構成する赤色（Ｒ）、緑色（Ｇ）、及び青色（Ｂ）のサブピクセルが図４に示されている。図４ではＲ、Ｇ、及びＢそれぞれのサブピクセルの色フィルタは平行なストライプとして示されているが、色フィルタ及び／又はサブピクセルには他の形状が可能である。図４におけるサブピクセルは、例えば、本明細書において論じられる振動を受けるパネル内にあるのであってよい。図４の上部における右側の３列において、「０」はバックライトの特定色ＬＥＤ光源が消灯していることを表すのに用いられ、「１」はバックライトの特定色ＬＥＤ光源が点灯していることを表すのに用いられている。したがって、例えば、タイミング位置−１において、バックライトの赤色ＬＥＤ光源はオフであるのに対し、バックライトの緑色及び青色ＬＥＤ光源はオンである。別の例として、タイミング位置−２において、バックライトの赤色及び緑色ＬＥＤ光源はオフであるのに対し、バックライトの青色ＬＥＤ光源はオンである。
【００２４】
[0027]  緑色（Ｇ）のピクセル又はサブピクセルは、例えば、図４においてパネルの位置を追跡するのに用いられる。タイミング位置０（中央の緑色のピクセルを参照）において、バックライトのＲ、Ｇ、及びＢのＬＥＤ光源は全てオンである。そして、緑色のピクセル又はサブピクセルが振動によって右へ１サブピクセルか又は２サブピクセル動いた時に（タイミング位置１及び２を参照）、バックライトの赤色ＬＥＤ光源がオンになり、赤色がピクセル全体を覆うように見えるだろう。しかしながら、緑色のピクセル又はサブピクセルが振動によって左へ１ピクセルか又は２ピクセル動いた時（タイミング位置−１及び−２を参照）にはバックライトの赤色ＬＥＤ光源は消灯されるので、赤色のサブピクセルは、ピクセルのＬＨ境界を越えて移動するようには見えないだろう。これによって、観察者がぼやけたピクセルを見ることが防止（又は低減）される。しかしながら、モアレの観点からは、図４に示されるように、赤色のサブピクセルのストライプ（例えば赤色の色フィルタのピクセル又はサブピクセル）を緑色及び青色の位置を横切って動かし、それらの位置にある時にバックライトの赤色部分を発光させることができる場合において、このことは、観察者の視覚系によって「融合」された時にパネルを一様な白色に見えるようにするだろう。同じことは、反対の移動方向におけることを除いて、青色に当てはまる。
【００２５】
[0028]  緑色（Ｇ）のピクセル又はサブピクセル（パネルがパーリンノイズなどによって振動させられた時に全てのサブピクセル及びピクセルが一緒に動くため、同じことがＲ又はＢのサブピクセルについてもいうことができるであろう）が振動によって左へ１サブピクセルか又は２サブピクセル動いた時に（タイミング位置−１及び−２を参照）、バックライトの青色ＬＥＤ光源がオンになり、青色がピクセル全体を覆うように見えるだろう。しかしながら、緑色のピクセル又はサブピクセルが振動によって右へ１ピクセルか又は２ピクセル動いた時（タイミング位置１及び２を参照）にはバックライトの青色ＬＥＤ光源は消灯されるので、青色のサブピクセルは、ピクセルのＲＨ（右手）境界を越えて移動するようには見えないだろう。これによって、観察者がぼやけたピクセルを見ることが防止（又は低減）される。こうして、モアレの観点からは、図４に示されるように、青色のサブピクセルのストライプ（例えば青色の色フィルタのピクセル又はサブピクセル）を緑色及び青色の位置を横切って動かし、それらの位置にある時にバックライトの青色部分を発光させることができる場合において、このことは、観察者の視覚系によって「融合」された時にパネルを一様な白色に見えるようにするだろう。
【００２６】
[0029]  したがって、この発明の実施態様において、パネル振動及び／又は選択的バックライト制御がＭＬＤシステムにおけるモアレ干渉を低減させるのに用いられることができる、ということが理解されることが可能である。
【００２７】
[0030]  この発明の例示的な実施態様において、第１画像を表示するための、第１平面内にある第１表示パネルと、第２画像を表示するための、第２平面内にある第２表示パネルであって、前記第１及び第２平面は互いにほぼ平行である、第２表示パネルと、モアレ干渉を低減させるために、前記第１及び第２表示パネルの一方を振動させるためのバイブレータであって、前記第１及び第２表示パネルの他方は振動させない、バイブレータと、を備えるディスプレイ装置が提供される。
【００２８】
[0031]  直前に先行する段落のディスプレイ装置において、前記バイブレータは、モータによって駆動されるように構成された偏心カムを備えるのであってよい。
【００２９】
[0032]  先行する２つの段落のいずれかのディスプレイ装置において、前記バイブレータは、前記第１及び第２表示パネルの前記一方を、前記一方のパネルが配置されている平面内の一方向に少なくとも振動させるためのものであるのであってよい。
【００３０】
[0033]  先行する３つの段落のいずれかのディスプレイ装置において、前記第１及び第２表示パネルの前記他方は振動させられるようには構成されていない。
【００３１】
[0034]  先行する４つの段落のいずれかのディスプレイ装置は、第１、第２、及び第３の異なる色の光源を含むバックライトを更に備え、前記第１、第２、及び第３の異なる色の光源は、前記第１及び第２表示パネルの前記一方の位置に基づいて選択的に制御されるように各々構成されるのであってよい。
【００３２】
[0035]  先行する５つの段落のいずれかのディスプレイ装置において、前記バックライトには、赤色サブピクセルが所与の位置にある時及び前記赤色サブピクセルが前記所与の位置の一方側へ１サブピクセル及び／又は２サブピクセル移動した時に点灯するように構成され、前記赤色サブピクセルが前記所与の位置の他方側へ移動した時に消灯するように構成された赤色光源が存在するのであってよい。
【００３３】
[0036]  先行する６つの段落のいずれかのディスプレイ装置において、前記バックライトには、青色サブピクセルが所与の位置にある時及び前記青色サブピクセルが前記所与の位置の一方側へ１サブピクセル及び／又は２サブピクセル移動した時に点灯するように構成され、前記青色サブピクセルが前記所与の位置の他方側へ移動した時に消灯するように構成された青色光源が存在するのであってよい。前記バックライトの赤色、緑色、及び青色光源は全て、前記青色サブピクセルが前記所与の位置にある時に点灯するように構成されるのであってよい。
【００３４】
[0037]  先行する７つの段落のいずれかのディスプレイ装置において、前記第１及び第２表示パネルは液晶ディスプレイ及び／又はＯＬＥＤを備えるのであってよい。
【００３５】
[0038]  先行する８つの段落のいずれかのディスプレイ装置において、前記第１及び第２表示パネルの前記一方は背面ディスプレイ又は前面ディスプレイであるのであってよい。
【００３６】
[0039]  先行する９つの段落のいずれかのディスプレイ装置において、前記バイブレータは、前記第１及び第２表示パネルの前記一方を、当該一方の表示パネルにパーリンノイズを導入するような態様で振動させるように構成されるのであってよい。
【００３７】
[0040]  上記の開示は特定のブロック図、フローチャート、及び例を用いて様々な実施態様を記載しているが、本明細書において説明及び／又は例示される各ブロック図要素、フローチャートのステップ、動作、及び／又は要素は、広範なハードウェア、ソフトウェア、又はファームウェア（若しくはそれらの任意の組み合わせ）構成を用いて、個別的に及び／又は集合的に実装されることができる。加えて、同一の機能を達成するために他の多くの設計が実装されることが可能であるので、他の構成要素の中に含まれている構成要素のいかなる開示も例とみなされるべきである。
【００３８】
[0041]  本明細書において説明及び／又は例示される処理のパラメータ及びステップの順番は、例としてのみ与えられており、望まれるように変更されることが可能である。例えば、本明細書において例示及び／又は説明されるステップは特定の順序で示され又は論じられるかもしれないが、これらのステップは、必ずしも例示され又は論じられた順序で実施される必要はない。本明細書において説明及び／又は例示される様々な例示的な方法は、本明細書において説明若しくは例示されたステップのうちの１又は複数を省略し、又は開示されたものに加えて付加的なステップを含むこともできる。
【００３９】
[0042]  様々な実施態様が完全に機能的なコンピューティングシステムの文脈で本明細書において説明及び／又は例示されているが、これらの例示的な実施態様のうちの１又は複数は、配布を実際に実行するのに用いられるコンピュータ可読媒体の特定の種類にかかわらず、様々な形式のプログラム製品として配布されることができる。本明細書において開示される実施態様はまた、あるタスクを実施するソフトウェアモジュールを用いて実装されることもできる。これらのソフトウェアモジュールは、スクリプト、バッチ、又はコンピュータ可読記憶媒体上に若しくはコンピューティングシステム内に格納されることができる他の実行可能ファイルを含むことができる。これらのソフトウェアモジュールは、本明細書において開示される例示的な実施態様のうちの１又は複数を実施するようにコンピューティングシステムを構成することができる。本明細書において開示される様々な機能は、リモートデスクトップ環境又は任意の他のクラウド型コンピューティング環境を通じて提供されることができる。
【００４０】
[0043]  上記の記載は、説明の目的のために、特定の実施態様を参照して記載されている。しかしながら、上記の説明的な議論は、網羅的であるようにも、開示された正確な形に発明を限定するようにも意図されていない。上記の教示に鑑み、多くの改変及び変形が可能である。実施態様は、本発明の原理及びその実用的な応用を最も良く説明し、それによって当業者が、本発明、及び予期される特定の使用に適しているであろう様々な改変を有する様々な実施態様を最も良く活用することを可能とするために、選択並びに説明されたのである。
【００４１】
[0044]  そのうえ、本出願の範囲は、明細書において説明される処理、機械、製造品、組成物、手段、方法、及びステップの特定の実施態様に限定されるようには意図されていない。当業者は本発明の開示から容易に理解するだろうから、本明細書において説明される対応する実施態様と実質的に同じ機能を実施し又は実質的に同じ結果を達成する、現在存在し若しくは後で開発される処理、機械、製造品、組成物、手段、方法、又はステップが、本発明にしたがって利用されることができる。したがって、添付されたクレームは、その範囲の中に、そのような処理、機械、製造品、組成物、手段、方法、又はステップを含むように意図される。
【００４２】
[0045]  本開示による実施態様がこうして説明された。本開示は特定の実施態様において説明されたが、本開示はそのような実施態様によって限定されるものと解されるべきではない、ということが理解されるべきである。
【図１】
2018535450.tif 000003
【図２】
2018535450.tif 000004
【図３】
2018535450.tif 000005
【図４】
2018535450.tif 000006
【国際調査報告】
2018535450.tif 000007
2018535450.tif 000008